(57)【要約】      （修正有）【課題】建築物のシミュレーションを容易に実施できるシミュレーションシステムを提供する。【解決手段】シミュレーションシステム１は、建築物のシミュレーションのために用意されたポータブルユニット１０を検出する検出部の検出結果を参照して建築物に関する画像が表示されるように表示装置を制御する制御部を備え、検出部の検出結果に応じて建築物に関する画像が表示されるようにし、建築物のシミュレーションを容易に実施する。【選択図】図１
2020035278.tif 000002
【特許請求の範囲】
【請求項１】
建築物のシミュレーションのために用意されたポータブルユニットを検出する検出部の検出結果を参照して建築物に関する画像が表示されるように表示装置を制御する制御部を備える
シミュレーションシステム。
【請求項２】
前記制御部は前記建築物の画像、および、外構の画像の少なくとも一方が表示されるように前記表示装置を制御する
請求項１に記載のシミュレーションシステム。
【請求項３】
前記制御部は前記建築物に関する画像に加え、建築物に付随する付加情報がさらに表示されるように前記表示装置を制御する
請求項１または２に記載のシミュレーションシステム。
【請求項４】
前記画像が表示される被表示部をさらに備える
請求項１〜３のいずれか一項に記載のシミュレーションシステム。
【請求項５】
前記ポータブルユニットを配置できるように構成される配置部をさらに備える
請求項１〜４のいずれか一項に記載のシミュレーションシステム。
【請求項６】
テーブルをさらに備え、
前記被表示部および前記配置部は前記テーブルに設けられる
請求項４を引用する請求項５に記載のシミュレーションシステム。
【請求項７】
前記ポータブルユニットをさらに備える
請求項１〜６のいずれか一項に記載のシミュレーションシステム。
【請求項８】
前記ポータブルユニットは建築物の構成要素に関する画像を表示する画像表示部を含む
請求項７に記載のシミュレーションシステム。
【請求項９】
前記ポータブルユニットは前記画像に対応する識別情報を表示する識別部をさらに含む
請求項８に記載のシミュレーションシステム。
【請求項１０】
前記ポータブルユニットは多面体であり、
前記画像表示部および前記識別部は前記多面体を構成する複数の面の互いに異なる面に設けられる
請求項９に記載のシミュレーションシステム。
【発明の詳細な説明】
【技術分野】
【０００１】
本発明はシミュレーションシステムに関する。
【背景技術】
【０００２】
建築物に関するモデルのシミュレーションを実施できるシミュレーションシステムが知られている。その一例である特許文献１に記載の建物設計システム(１)では、表示装置(３)に表示される複数の建築物の構成要素のうち、入力装置(４)を用いてユーザが選択した建築物の構成要素同士を組み合わせた建築物のモデルを表示している。
【先行技術文献】
【特許文献】
【０００３】
【特許文献１】特開２００１−２９７１２２号公報
【発明の概要】
【発明が解決しようとする課題】
【０００４】
上記建物設計システム(１)では、ユーザが入力装置(４)の操作に不慣れである場合、建築物のシミュレーション作業が煩雑になる。
【課題を解決するための手段】
【０００５】
(１)本発明に関するシミュレーションシステムは建築物のシミュレーションのために用意されたポータブルユニットを検出する検出部の検出結果を参照して建築物に関する画像が表示されるように表示装置を制御する制御部を備える。
上記シミュレーションシステムでは、検出部の検出結果に応じて建築物に関する画像が表示されるため、建築物のシミュレーションを容易に実施できる。
【０００６】
(２)好ましい例では(１)に記載のシミュレーションシステムにおいて、前記制御部は前記建築物の画像、および、外構の画像の少なくとも一方が表示されるように前記表示装置を制御する。
このため、多様なシミュレーションを実施できる。
【０００７】
(３)好ましい例では(１)または(２)に記載のシミュレーションシステムにおいて、前記制御部は前記建築物に関する画像に加え、建築物に付随する付加情報がさらに表示されるように前記表示装置を制御する。
このため、多様なシミュレーションを実施できる。
【０００８】
(４)好ましい例では(１)〜(３)のいずれか一項に記載のシミュレーションシステムにおいて、前記画像が表示される被表示部をさらに備える。
このため、利便性が高められる。
【０００９】
(５)好ましい例では(１)〜(４)のいずれか一項に記載のシミュレーションシステムにおいて、前記ポータブルユニットを配置できるように構成される配置部をさらに備える。
このため、ポータブルユニットの位置が安定する。
【００１０】
(６)好ましい例では(４)を引用する(５)に記載のシミュレーションシステムにおいて、テーブルをさらに備え、前記被表示部および前記配置部は前記テーブルに設けられる。
このため、シミュレーションシステムの構成を簡素化できる。
【００１１】
(７)好ましい例では(１)〜(６)のいずれか一項に記載のシミュレーションシステムにおいて、前記ポータブルユニットをさらに備える。
このため、利便性が高められる。
【００１２】
(８)好ましい例では(７)に記載のシミュレーションシステムにおいて、前記ポータブルユニットは建築物の構成要素に関する画像を表示する画像表示部を含む。
このため、建築物の構成要素を容易に把握できる。
【００１３】
(９)好ましい例では(８)に記載のシミュレーションシステムにおいて、前記ポータブルユニットは前記画像に対応する識別情報を表示する識別部をさらに含む。
このため、画像を容易に識別できる。
【００１４】
(１０)好ましい例では(９)に記載のシミュレーションシステムにおいて、前記ポータブルユニットは多面体であり、前記画像表示部および前記識別部は前記多面体を構成する複数の面の互いに異なる面に設けられる。
このため、画像表示部と識別部とを容易に対応付けることができる。
【発明の効果】
【００１５】
本発明に関するシミュレーションシステムによれば、建築物のシミュレーションを容易に実施できる。
【図面の簡単な説明】
【００１６】
【図１】実施形態のシミュレーションシステムに関する図。
【図２】図１の第１種ポータブルユニットの斜視図。
【図３】図１の第１種ポータブルユニットに設けられる画像表示部および識別部に関する図。
【図４】図３とは別の第１種ポータブルユニットに設けられる画像表示部および識別部に関する図。
【図５】図３および図４とは別の第１種ポータブルユニットに設けられる画像表示部および識別部に関する図。
【図６】図１の第２種ポータブルユニットの斜視図。
【図７】図１の第２種ポータブルユニットに設けられる画像表示部および識別部に関する図。
【図８】図７とは別の第２種ポータブルユニットに設けられる画像表示部および識別部に関する図。
【図９】図７および図８とは別の第２種ポータブルユニットに設けられる画像表示部および識別部に関する図。
【図１０】図７〜図９とは別の第２種ポータブルユニットに設けられる画像表示部および識別部に関する図。
【図１１】図１の配置部およびその周辺の斜視図。
【図１２】図１のシミュレーションシステムのブロック図。
【図１３】配置部にポータブルユニットが配置されていないときの表示装置が被表示部に表示する建築物関連画像の斜視図。
【図１４】配置部の第１領域の奥側領域に第１種ポータブルユニットが配置されている状態の配置部の平面図。
【図１５】図１４の場合において表示装置が被表示部に表示する建築物関連画像の斜視図。
【図１６】配置部の第１領域の奥側領域に第１種ポータブルユニットが配置され、第１領域の手前側領域に第２種ポータブルユニットが配置され、第３領域の奥側領域に第１ポータブルユニットが配置されている状態の配置部の平面図。
【図１７】図１６の場合において表示装置が被表示部に表示する建築物関連画像の斜視図。
【発明を実施するための形態】
【００１７】
(実施形態)
図１を参照してシミュレーションシステム１の一例について説明する。シミュレーションシステム１は建築物に関する画像(以下「建築物関連画像」という)を表示することによって建築物のシミュレーションを容易に実施できるように構成されるシステムである。建築物関連画像は建築物の画像、および、建築物に関連する要素に関する画像を含む。建築物は例えば、住居のインテリア、内装、外装、および、間取り、ならびに、ガレージのインテリア、内装、および、外装を含む。建築物の間取りは例えば、リビング、ダイニング、リビングダイニング、キッチン、寝室、応接室、書斎、玄関、ホール、廊下、階段室、トイレ、洗面所、脱衣所、浴室、物置、および、納戸の少なくとも１つの配置を含む。建築物に関連する要素は例えば、外構、ポーチ、および、車を含む。このため、多様なシミュレーションを実施できる。シミュレーションシステム１が設置される場所は任意に選択できる。第１例では、シミュレーションシステム１の構成要素の少なくとも一部は移動式展示場の屋内または屋外に設置される。第２例では、シミュレーションシステム１の構成要素の少なくとも一部は常設展示場の屋内または屋外に設置される。
【００１８】
シミュレーションシステム１を構成する主な要素は複数のポータブルユニット１０、テーブル６０、カメラ８０、端末装置９０(図１２参照)、および、表示装置１００である。複数のポータブルユニット１０は建築物のシミュレーションのために用意される。ポータブルユニット１０の形態は任意に選択できる。第１例では、ポータブルユニット１０は多面体である。より好ましい例では、図１等に示されるように、ポータブルユニット１０は六面体である。第２例では、ポータブルユニット１０は小型パネルである。ポータブルユニット１０を構成する材料は任意に選択できる。好ましい例では、ポータブルユニット１０はユーザが容易に操作できるように軽量な材料によって構成される。その一例は、木、スチレンボード、紙、および、合成樹脂である。
【００１９】
複数のポータブルユニット１０は第１種ポータブルユニット２０および第２種ポータブルユニット３０に分類される。第１種ポータブルユニット２０は主に住居およびガレージのシミュレーションのために用いられる。第１種ポータブルユニット２０の数は１または複数である。一例では、第１種ポータブルユニット２０の数は３である。以下では、３つの第１種ポータブルユニット２０を区別するために、３つの第１種ポータブルユニット２０をそれぞれ、第１種ポータブルユニット２０Ａ、第１種ポータブルユニット２０Ｂ、および、第１種ポータブルユニット２０Ｃと称することがある。
【００２０】
第２種ポータブルユニット３０は主に外構およびポーチのシミュレーションのために用いられる。第２種ポータブルユニット３０の数は１または複数である。一例では、第２種ポータブルユニット３０の数は４である。以下では、４つの第２種ポータブルユニット３０を区別するために、４つの第２種ポータブルユニット３０をそれぞれ、第２種ポータブルユニット３０Ａ、第２種ポータブルユニット３０Ｂ、第２種ポータブルユニット３０Ｃ、および、第４種ポータブルユニット３０Ｄと称することがある。
【００２１】
複数のポータブルユニット１０はそれぞれ、画像表示部４０および識別部５０を備える。なお、図１、図２、および、図６では、図面簡略化のため、画像表示部４０および識別部５０の一部または全部の表示を省略している。画像表示部４０および識別部５０は多面体を構成する複数の面の互いに異なる面に設けられる。このため、画像表示部４０と識別部５０とを容易に対応付けることができる。画像表示部４０は建築物の構成要素に関する画像(以下「モデル画像」という)を表示する。建築物の構成要素は建築物関連画像のモデルである。識別部５０はモデル画像に対応する識別情報を表示する。識別部５０の形態は任意に選択できる。一例では、識別部５０は一次元コードまたは二次元コードである。
【００２２】
図２に示されるように、第１種ポータブルユニット２０は例えば直方体である。第１種ポータブルユニット２０に設けられる画像表示部４０は第１画像表示部４１、第２画像表示部４２、および、第３画像表示部４３を含む。第１画像表示部４１は第１種ポータブルユニット２０の第１面２１に設けられる。第２画像表示部４２は第１種ポータブルユニット２０の第２面２２に設けられる。第３画像表示部４３は第１種ポータブルユニット２０の第３面２３に設けられる。
【００２３】
第１種ポータブルユニット２０に設けられる識別部５０は第１識別部５１、第２識別部５２、および、第３識別部５３を含む。第１識別部５１は第１画像表示部４１が表示するモデル画像に対応する識別情報を表示する。第１識別部５１は第１種ポータブルユニット２０の第４面２４に設けられる。第４面２４は第１面２１と反対側に設けられる面である。
【００２４】
第２識別部５２は第２画像表示部４２が表示するモデル画像に対応する識別情報を表示する。第２識別部５２は第１種ポータブルユニット２０の第５面２５に設けられる。第５面２５は第２面２２と反対側に設けられる面である。
【００２５】
第３識別部５３は第３画像表示部４３が表示するモデル画像に対応する識別情報を表示する。第３識別部５３は第１種ポータブルユニット２０の第６面２６に設けられる。第６面２６は第３面２３と反対側に設けられる面である。
【００２６】
図３は第１種ポータブルユニット２０Ａに設けられる画像表示部４０および識別部５０の一例である。第１種ポータブルユニット２０Ａに設けられる画像表示部４０はガレージに関する画像モデルを表示する。第１種ポータブルユニット２０Ａの第１画像表示部４１はフラット屋根の２階建てのガレージを表示する。第１種ポータブルユニット２０Ａの第２画像表示部４２は片流れ屋根の２階建てのガレージを表示する。第１種ポータブルユニット２０Ａの第３画像表示部４３は切妻屋根の２階建てのガレージを表示する。
【００２７】
図４は第１種ポータブルユニット２０Ｂに設けられる画像表示部４０および識別部５０の一例である。第１種ポータブルユニット２０Ｂに設けられる画像表示部４０は住居に関する画像モデルを表示する。第１種ポータブルユニット２０Ｂの第１画像表示部４１はフラット屋根の２階建ての住居を表示する。第１種ポータブルユニット２０Ｂの第２画像表示部４２は片流れ屋根の２階建ての住居を表示する。第１種ポータブルユニット２０Ｂの第３画像表示部４３は切妻屋根の２階建ての住居を表示する。
【００２８】
図５は第１種ポータブルユニット２０Ｃに設けられる画像表示部４０および識別部５０の一例である。第１種ポータブルユニット２０Ｃに設けられる画像表示部４０は住居の増築に関する画像モデルを表示する。第１種ポータブルユニット２０Ｃの第１画像表示部４１はフラット屋根の２階建ての住居の増築モデルを表示する。第１種ポータブルユニット２０Ｃの第２画像表示部４２は片流れ屋根の２階建ての住居の増築モデルを表示する。第１種ポータブルユニット２０Ｃの第３画像表示部４３は切妻屋根の２階建ての住居の増築モデルを表示する。
【００２９】
図６に示されるように、第２種ポータブルユニット３０は例えば直方体である。第２種ポータブルユニット３０の長辺３０Ｘの長さは第１種ポータブルユニット２０の長辺２０Ｘ(図２参照)の長さと実質的に等しい。第２種ポータブルユニット３０の高さ３０Ｙは第１種ポータブルユニット２０の高さ２０Ｙ(図２参照)よりも低い。第２種ポータブルユニット３０に設けられる画像表示部４０は第１画像表示部４１および第２画像表示部４２を含む。第１画像表示部４１は第２種ポータブルユニット３０の第１面３１に設けられる。第２画像表示部４２は第２種ポータブルユニット３０の第２面３２に設けられる。
【００３０】
第２種ポータブルユニット３０に設けられる識別部５０は第１識別部５１および第２識別部５２を含む。第１識別部５１は第１画像表示部４１が表示するモデル画像に対応する識別情報を表示する。第１識別部５１は第２種ポータブルユニット３０の第３面３３に設けられる。第３面３３は第１面３１と反対側に設けられる面である。
【００３１】
第２識別部５２は第２画像表示部４２が表示するモデル画像に対応する識別情報を表示する。第２識別部５２は第２種ポータブルユニット３０の第４面３４に設けられる。第４面３４は第２面３２と反対側に設けられる面である。
【００３２】
図７は第２種ポータブルユニット３０Ａに設けられる画像表示部４０および識別部５０の一例である。第２種ポータブルユニット３０Ａに設けられる画像表示部４０は外構に関する画像モデルを表示する。第２種ポータブルユニット３０Ａの第１画像表示部４１はフ芝生を表示する。第２種ポータブルユニット３０Ａの第２画像表示部４２は庭園を表示する。
【００３３】
図８は第２種ポータブルユニット３０Ｂに設けられる画像表示部４０および識別部５０の一例である。第２種ポータブルユニット３０Ｂに設けられる画像表示部４０は外構に関する画像モデルを表示する。第２種ポータブルユニット３０Ｂの第１画像表示部４１は敷石を表示する。第２種ポータブルユニット３０Ａの第２画像表示部４２はレイズドベッドを表示する。
【００３４】
図９は第２種ポータブルユニット３０Ｃに設けられる画像表示部４０および識別部５０の一例である。第２種ポータブルユニット３０Ｃに設けられる画像表示部４０は外構に関する画像モデルを表示する。第２種ポータブルユニット３０Ｃの第１画像表示部４１はデッキポーチを表示する。第２種ポータブルユニット３０Ｃの第２画像表示部４２は屋根付きポーチを表示する。
【００３５】
図１０は第２種ポータブルユニット３０Ｄに設けられる画像表示部４０および識別部５０の一例である。第２種ポータブルユニット３０Ｄに設けられる画像表示部４０は外構に関する画像モデルを表示する。第２種ポータブルユニット３０Ｃの第１画像表示部４１は温室ポーチを表示する。第２種ポータブルユニット３０Ｃの第２画像表示部４２はパーゴラを表示する。
【００３６】
図１に示されるテーブル６０は被表示部６１および配置部６２を備える。被表示部６１はテーブル６０の表面６０Ａのうちの表示装置１００によって建築物関連画像が表示される部分である。被表示部６１のうちの建築物関連画像が表示される領域６１Ｘは第１領域６１Ａ、第２領域６１Ｂ、第３領域６１Ｃ、第４領域６１Ｄ、第５領域６１Ｅ、および、第６領域６１Ｆに区分される。なお、図１等では、領域６１Ｘを二点鎖線で示している。
【００３７】
配置部６２は複数のポータブルユニット１０を配置できるように構成される。このため、ポータブルユニット１０の位置が安定する。配置部６２の構成は任意に選択できる。図１１に示される例では、配置部６２はテーブル６０に設けられる凹部６３、凹部６３の底に設けられる透明板６４、および、凹部６３を区画する仕切板６５を含む。
【００３８】
透明板６４の一例はガラス板およびアクリル板である。凹部６３に設けられる仕切板６５の数は１または複数である。一例では、凹部６３に設けられる仕切板６５の数は２枚である。凹部６３は２枚の仕切板６５によって、第１領域７１、第２領域７２、および、第３領域７３に区画される。
【００３９】
各領域７１、７２、７３はそれぞれ１つの第１種ポータブルユニット２０、および、１つの第２種ポータブルユニット３０を配置することができる大きさを有する。各領域７１、７２、７３はさらに、テーブル６０の一方の縁６０Ｘに近い手前側領域７１Ａ、７２Ａ、７２Ａ、および、テーブル６０の一方の縁６０Ｘから遠い奥側領域７１Ｂ、７２Ｂ、７２Ｂにそれぞれ区分される。各領域７１、７２、７３にポータブルユニット１０が配置されることによって、配置されたポータブルユニット１０の画像表示部４０が表示しているモデル画像に対応する建築物関連画像が被表示部６１の領域６１Ｘ(図１参照)に表示される。
【００４０】
第１領域７１の手前側領域７１Ａにポータブルユニット１０が配置された場合、第１領域６１Ａ(図１参照)に建築物関連画像が表示される。第１領域７１の奥側領域７１Ｂにポータブルユニット１０が配置された場合、第２領域６１Ｂ(図１参照)に建築物関連画像が表示される。第２領域７２の手前側領域７２Ａにポータブルユニット１０が配置された場合、第３領域６１Ｃ(図１参照)に建築物関連画像が表示される。第２領域７２の奥側領域７２Ｂにポータブルユニット１０が配置された場合、第４領域６１Ｄ(図１参照)に建築物関連画像が表示される。第３領域７３の手前側領域７３Ａにポータブルユニット１０が配置された場合、第５領域６１Ｅ(図１参照)に建築物関連画像が表示される。第３領域７３の奥側領域７３Ｂにポータブルユニット１０が配置された場合、第６領域６１Ｆ(図１参照)に建築物関連画像が表示される。
【００４１】
カメラ８０は領域７１、７２、７３の全体を撮影できるように、透明板６４と対向する位置に設けられる。カメラ８０は領域７１、７２、７３を底から撮影した静止画または動画(以下「配置部情報」という)を端末装置９０(図１２参照)に送信できるように、端末装置９０と接続される。カメラ８０と端末装置９０との通信の形態は無線通信または有線通信である。
【００４２】
図１２に示される端末装置９０の一例はパーソナルコンピュータ、サーバ、または、スマートデバイスである。スマートデバイスの一例はタブレットおよびスマートフォンである。端末装置９０がサーバである場合、端末装置９０は展示場の屋内または屋外に設置される。図１２に示される例では、端末装置９０はパーソナルコンピュータである。端末装置９０は記憶装置９１およびプロセッサ９２を備える。記憶装置９１は例えばハードディスク等の補助記憶装置である。記憶装置９１には、被表示部６１(図１参照)に建築物関連画像を表示するための１または複数のアプリケーションソフトウェア(以下「画像表示ソフト」)が記憶されている。
【００４３】
プロセッサ９２は記憶装置９１と通信できるように記憶装置９１と接続されている。プロセッサ９２が記憶装置９１に記憶されている画像表示ソフトを実行することによって、プロセッサ９２の１または複数の機能ブロックが構築される。１または複数の機能ブロックには、検出部ＰＡ、算出部ＰＢ、および、制御部ＰＣが含まれる。プロセッサ９２による画像表示ソフトの実行により得られた情報は記憶装置９１に記憶される。
【００４４】
検出部ＰＡはカメラ８０から送信される配置部情報に基づいて、配置部６２に配置されているポータブルユニット１０の識別部５０と、領域６１Ｘのうちの識別部５０が存在する領域を検出する。算出部ＰＢは検出部ＰＡの検出結果を参照して、建築物に付随する付加情報を算出する。このため、多様なシミュレーションを実施できる。付加情報はモデル金額情報およびモデル環境負荷情報を含む。モデル金額情報は例えば、被表示部６１(図１参照)に表示されている建築物関連画像に対応する建築物を実際に施工する場合に要する金額である。モデル環境負荷情報は例えば、被表示部６１に表示されている建築物関連画像に対応する建築物の温室効果ガスの排出量である。制御部ＰＣは検出部ＰＡの検出結果を参照して、被表示部６１に建築物関連画像が表示されるように表示装置１００を制御する。制御部ＰＣは算出部ＰＢの算出結果を参照して、被表示部６１にモデル金額情報およびモデル環境負荷情報が表示されるように表示装置１００を制御する。
【００４５】
表示装置１００は建築物関連画像を被表示部６１の領域６１Ｘに投影することによって建築物関連画像を領域６１Ｘに表示する。表示装置１００は例えばプロジェクタである。表示装置１００は検出部ＰＡの検出結果に基づく建築物関連画像を被表示部６１に投影できる位置に設置される。表示装置１００の数は１または複数である。配置部６２にポータブルユニット１０が配置されていない場合、換言すれば、領域６１Ｘに識別部５０が存在しない場合、表示装置１００は図１３に示されるように、被表示部６１に敷地１１０、第１情報表示部１２０、および、第２情報表示部１３０を表示する。第１情報表示部１２０はモデル金額情報を表示する部分である。第２情報表示部１３０はモデル環境負荷情報を表示する部分である。被表示部６１に敷地１１０のみが表示される場合、第１情報表示部１２０および第２情報表示部１３０には、例えば、敷地１１０に関する情報、および、敷地１１０の周辺に関する情報が表示される。
【００４６】
図１４〜図１７を参照して、シミュレーションシステム１の使用方法の一例について説明する。
図１４に示されるように、例えば、第１領域７１の奥側領域７１Ｂに第２画像表示部４２が上面となるように第１種ポータブルユニット２０Ｂが配置される。この場合、検出部ＰＡはカメラ８０から送信される配置部情報に基づいて、奥側領域７１Ｂに第２識別部５２が存在していることを検出する。算出部ＰＢは検出部ＰＡの検出結果を参照して、片流れ屋根の２階建ての住居に関するモデル金額情報およびモデル環境負荷情報を算出する。制御部ＰＣは図１５に示されるように、第２領域６１Ｂに片流れ屋根の２階建ての住居の建築物関連画像が表示されるように表示装置１００を制御する。制御部ＰＣは片流れ屋根の２階建ての住居に関するモデル金額情報が第１情報表示部１２０に表示されるように表示装置１００を制御する。制御部ＰＣは片流れ屋根の２階建ての住居に関するモデル環境負荷情報が第２情報表示部１３０に表示されるように表示装置１００を制御する。
【００４７】
図１６に示されるように、図１４に示される状態から、例えば、第１領域７１の手前側領域７１Ａに第２画像表示部４２が上面となるように第２種ポータブルユニット３０Ｄがさらに配置され、第３領域７３の奥側領域７３Ｂに第１画像表示部４１が上面となるように第１種ポータブルユニット２０Ａがさらに配置される。この場合、検出部ＰＡはカメラ８０から送信される配置部情報に基づいて、手前側領域７１Ａに第２識別部５２が存在していることを検出し、奥側領域７３Ｂに第１識別部５１が存在していることを検出する。算出部ＰＢは検出部ＰＡの検出結果を参照して、片流れ屋根の２階建ての住居、パーゴラ、および、フラット屋根の２階建ての住居に関するモデル金額情報の合計金額を算出する。算出部ＰＢは検出部ＰＡの検出結果を参照して、片流れ屋根の２階建ての住居、パーゴラ、および、フラット屋根の２階建ての住居に関するモデル環境負荷情報の合計値を算出する。
【００４８】
制御部ＰＣは図１７に示されるように、第１領域６１Ａにパーゴラの建築物関連画像が表示されるように表示装置１００を制御する。制御部ＰＣは第６領域６１Ｆにフラット屋根の２階建ての住居の建築物関連画像が表示されるように表示装置１００を制御する。制御部ＰＣは片流れ屋根の２階建ての住居、パーゴラ、および、フラット屋根の２階建ての住居に関するモデル金額情報の合計金額が第１情報表示部１２０に表示されるように表示装置１００を制御する。制御部ＰＣは片流れ屋根の２階建ての住居、パーゴラ、および、フラット屋根の２階建ての住居に関するモデル環境負荷情報の合計値が第２情報表示部１３０に表示されるように表示装置１００を制御する。
【００４９】
シミュレーションシステム１の作用および効果について説明する。
ポータブルユニット１０を検出する検出部ＰＡの検出結果に応じて建築物関連画像が表示されるため、建築物のシミュレーションを容易に実施できる。
【００５０】
(変形例)
上記実施形態は本発明に関するシミュレーションシステムが取り得る形態の例示であり、その形態を制限することを意図していない。本発明に関するシミュレーションシステムは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００５１】
・表示装置１００の構成は任意に変更できる。変形例のシミュレーションシステム１の表示装置１００は建築物関連画像を表示する被表示部６１としてのディスプレイを含む。この変形例の場合、表示装置１００のディスプレイは例えば、テーブル６０上に設置される。
【００５２】
・表示装置１００が建築物関連画像を投影する場所は任意に選択できる。変形例のシミュレーションシステム１の表示装置１００は被表示部６１としての壁に建築物関連画像を投影することによって壁に建築物関連画像を表示する。
【００５３】
・算出部ＰＢが算出する付加情報の内容は任意に変更できる。変形例のシミュレーションシステム１の算出部ＰＢはモデル金額情報およびモデル環境負荷情報に代えて、または、加えて、日照シミュレーションに関する情報、通風シミュレーションに関する情報、および、法規チェックに関する情報の少なくとも１つを算出する。
【００５４】
・制御部ＰＣによる建築物関連画像の表示方法は任意に変更できる。変形例のシミュレーションシステム１の制御部ＰＣはポータブルユニット１０が配置される領域に応じてモデル画像に対応する建築物関連画像を変形する。変形例のシミュレーションシステム１の制御部ＰＣは手前側領域７１Ａ、７２Ａ、７３Ａに２階建てのガレージ、住居、および、住居の増築モデルに関する画像モデルを表示する画像表示部４０が上面となるようにポータブルユニット１０が配置された場合、対応する領域６１Ｘに表示する建築物関連画像を平屋のガレージ、住居、および、住居の増築モデルに変更する。この変形例の制御部ＰＣは例えば、手前側領域７１Ａに第２画像表示部４２が上面となるように第１種ポータブルユニット２０Ｂが配置された場合、第１領域６１Ａに片流れ屋根の平屋の住居の建築物関連画像が表示されるように表示装置１００を制御する。
【符号の説明】
【００５５】
１    ：シミュレーションシステム
１０  ：ポータブルユニット
４０  ：画像表示部
５０  ：識別部
６０  ：テーブル
６１  ：被表示部
６２  ：配置部
１００：表示装置
ＰＡ  ：検出部
ＰＣ  ：制御部
【図１】
2020035278.tif 000003
【図２】
2020035278.tif 000004
【図３】
2020035278.tif 000005
【図４】
2020035278.tif 000006
【図５】
2020035278.tif 000007
【図６】
2020035278.tif 000008
【図７】
2020035278.tif 000009
【図８】
2020035278.tif 000010
【図９】
2020035278.tif 000011
【図１０】
2020035278.tif 000012
【図１１】
2020035278.tif 000013
【図１２】
2020035278.tif 000014
【図１３】
2020035278.tif 000015
【図１４】
2020035278.tif 000016
【図１５】
2020035278.tif 000017
【図１６】
2020035278.tif 000018
【図１７】
2020035278.tif 000019